(57)【要約】【課題】  被写体の大きさ（寸法）が一目で解るように、主被写体に対して寸法を添付し実寸法で印字する。【解決手段】  撮像素子に結像される被写体像の合焦情報・ズーム情報・フォーカス情報・距離情報を得て、被写体の実寸法に関するデータを演算し、前記演算した結果を基に、実寸法に対し指定倍率で、出力を行なう。出力を行なう際、被写体を選択し選択した主被写体に対して寸法を添付して出力する。【選択図】  図８
2009027402.tif 000002
【特許請求の範囲】
【請求項１】
撮影画像を表示する画像処理装置であって、
撮影画像の中から、主被写体を特定する特定手段と、
前記主被写体の実寸法を算出する算出手段と、
前記算出手段により算出された前記主被写体の実寸法を表示する表示手段とを有することを特徴とするデジタルカメラ。
【請求項２】
前記表示手段は、前記撮影画像と共に、前記主被写体の実寸法を表示することを特徴とする請求項１に記載のデジタルカメラ。
【請求項３】
前記特定手段は、ユーザからの主被写体が含まれる領域の指示に基づいて、撮影画像の中から、主被写体を特定することを特徴とする請求項１に記載のデジタルカメラ。
【請求項４】
さらに、言語設定を行なう言語設定手段を有し、表示手段は、前記言語設定手段で設定された言語に応じて、表示する寸法の単位を変更することを特徴とする請求項１のデジタルカメラ。
【請求項５】
撮影画像を表示する画像表示方法であって、
撮影画像の中から、主被写体を特定する特定工程と、
前記主被写体の実寸法を算出する算出工程と、
前記算出工程で算出された前記主被写体の実寸法を表示する表示工程とを有することを特徴とする画像表示方法。
【請求項６】
前記撮影画像と共に、前記主被写体の実寸法を表示させることを特徴とする請求項５に記載の画像表示方法。
【請求項７】
前記特定工程では、ユーザからの主被写体が含まれる領域の指示に基づいて、撮影画像の中から、主被写体を特定することを特徴とする請求項５に記載の画像表示方法。
【請求項８】
さらに、言語設定を行なう言語設定工程と、
前記言語設定工程で設定された言語に応じて、前記表示工程で表示する実寸法の単位を変更する変更工程とを有することを特徴とする請求項５の画像表示方法。
【発明の詳細な説明】
【技術分野】
【０００１】
本発明は、デジタルカメラで撮影された画像の表示方法に関する。
【背景技術】
【０００２】
一般に、デジタルカメラは、近年、その需要が飛躍的に増えており、多様化も進行している。このような中、従来のデジタルカメラでは、被写体の画像を表示手段としてのディスプレイ上に映し出したり、プリンタにより印字媒体に印刷したり、写真にすることによりユーザに画像を提供していた。しかしながら、ディスプレイ上に映し出されたり、用紙に印刷された画像では、被写体の実際の大きさ（寸法）を認識することができず、あくまでイメージ的な表現しかできなかった。そのため、実際の寸法を表現したいときは、被写体とスケールを同時に撮影したりするしかなかった。そこで、被写体の画像とその画像に対応する寸法情報を記録し、再生時画像とともに再生画像に合わせた寸法情報（スケール）も表示して、撮影した被写体像の大きさを容易にかつ正確に知るための方法が考案されている（特許文献１）。しかし、寸法は、スケールによってわかるが、実際の大きさ（寸法）が解らなかった。そのため、特許文献２では、撮影した被写体を指定倍率で指定サイズにてプリントする方法が提案されている。
【特許文献１】特開平０４−２９８１６９号公報
【特許文献２】特開２００３−２４４５０１号公報
【発明の開示】
【発明が解決しようとする課題】
【０００３】
しかしながら、上記従来の技術例では、撮影した画像に対して、実寸法のスケールを表示することが可能であるが、主被写体に対してのみのスケール表示を行なえないため、主被写体の大きさ（寸法）が一目でわからない。また、主被写体の実寸法を確認したいときは、表示されたスケールを用いて、目分量で測定するため、主被写体の実寸法を把握するのが困難であった。また、スケール表示の寸法単位を日ごろ慣れ親しんだ寸法単位ではない為、実際の寸法を把握できなかった。
【０００４】
本発明は、上述したような問題点を解消するために構成されたもので、例えばデジタルカメラの表示画面上で、主被写体に対して寸法表示を行なうことで、主被写体の大きさ（寸法）が一目で解る実寸法表示機能を提供することにある。さらに、日ごろ慣れ親しんだ単位で大きさ（寸法）を把握できる実寸法出力機能を有するデジタルカメラを提供することにある。
【課題を解決するための手段】
【０００５】
上記の課題を解決するため、本発明のデジタルカメラは以下を有することを特徴としている。
【発明の効果】
【０００６】
表示画像上で、主被写体に対しての寸法表示を行なうことで、主被写体の大きさ（寸法）が一目で解る。また、寸法表示の単位を自動に変更することで、日ごろ慣れ親しんだ単位で被写体の大きさ（実寸法）を把握できる。
【発明を実施するための最良の形態】
【０００７】
以下、本発明の実施の形態について、図面を参照して説明する。
【０００８】
図１に、本実施例のデジタルカメラの概要構成図を示す。
【０００９】
図１において、１は、デジタルカメラ本体、２は、本体電源を入り切りする本体電源スイッチ、３は、撮影モード・再生モードを切り替えるモードＳＷである。このデジタルカメラ１は、モードＳＷが撮影モードにセットされているときは撮影動作を行い、再生モードに切り替えられているときは、撮影画像を液晶表示パネル６で確認する再生動作を行う。４は、ズーム操作を行うズームレバー、５は、撮影時に使用するレリーズＳＷ、６は、画像の表示や、シャッター速度や絞り数値等の撮影設定の表示、撮影枚数、メニュー等の表示を行うための液晶表示パネルである。７は、メニューに入る為のメニューＫＥＹである。８は、メニューや撮影設定を操作するための十字操作ＫＥＹである。
【００１０】
図２は、図１に示すデジタルカメラ１の構成を示すブロック図である。図中、１１は、デジタルカメラ１を動作させる為、デジタルカメラの各ブロックに必要な電圧供給する電源供給部である。１２は、デジタルカメラ全体を制御するためのＣＰＵである。１３はレンズユニット、１４は、レンズユニット１３により得られた光学的な画像を、電気信号に変換して撮像するＣＣＤ等の撮像部である。１５は、ズームレバー４の操作によるズーム情報や合焦情報、フォーカスに応じてレンズユニット１３の制御を行なうレンズ制御部である。１６は、撮像部１４で取得した電気信号に処理を施し、画像データを生成する画像処理部である。１７は、画像処理部１６で生成された画像データを記憶するための記憶部で、外部メモリでもデジタルカメラ１に内蔵されたメモリでもよい。１８は、画像を表示したり、デジタルカメラ本体の状態や撮影設定、メニュー画面を表示するための液晶パネル表示部で、図１の液晶表示パネル６である。１９は、デジタルカメラ１への操作を入力するための操作部で、図１の、本体電源スイッチ２、モードＳＷ３。ズームレバー４、レリーズスイッチ５、メニューＫＥＹ７、十字操作ＫＥＹ８等から構成され、各スイッチ、キーへの操作入力を検出したり、操作内容の解析を行う。ＣＰＵ１２は操作部１９への操作や、操作内容に応じて、各ブロックの制御や演算処理を行う。２０は、ＰＣやプリンタ及びディスプレイなどの外部機器と接続するためのＵＳＢ等の外部Ｉ／Ｆ部である。外部Ｉ／Ｆは、有線ＩＦでも無線Ｉ／Ｆでもよい。
【００１１】
なお、図２には示されていないが、ＣＰＵ１２には、図１におけるデジタルカメラの撮影及び再生に必要な諸々の回路等がさらに接続されている。ＣＰＵ１２は、不図示のＲＯＭに格納された所定のプログラムを読み出し、読み出したプログラムに従って各ブロック、回路の動作制御や演算処理等を行う。後述の図３、４、５の処理についても、ＣＰＵ１２が読み出したプログラムに基づいて実行する。
【００１２】
撮影モード時は、撮像部により取り込まれた画像は、液晶表示パネル６に表示される。また、撮影モード時にレリーズＳＷが半押しされると、撮像部により得られた画像信号から取り出された高周波信号を基に、レンズ制御部１５がレンズユニット１３を駆動して合焦動作を行う。合焦動作過程および合焦時にはレンズユニット１３の合焦レンズの位置を示す合焦情報等がレンズ制御部１５からＣＰＵ１２に送られる。また、撮影時にズームレバーが操作され、ＣＰＵ１２からズームの信号が入力されると、レンズ制御部１５は、レンズユニット１３の変倍レンズを駆動して、被写体を希望の大きさに拡大または縮小する。そのときの変倍レンズ位置情報すなわちズーム情報もＣＰＵ１２に送出される。
【００１３】
撮影モード時に、レリーズＳＷが押下されると、レンズユニット１３により得られた光学的な画像を、撮像部１４において電気信号に変換し、画像処理部１６で電気信号を画像データ変換して記憶部１７に記録し、撮影動作が行われる。
【００１４】
デジタルカメラ１における撮影時の動作について図３に示すフローチャートを参照して説明する。
【００１５】
レリーズスイッチ５が押下されたら、ステップＳ１０１において、レンズユニット１３により得られた光学的な画像を、撮像部１４において電気信号に変換し、画像処理部１６で電気信号を画像データ変換して一時記録する。このとき、Ｓ１０１での撮影時のレンズユニットの合焦情報やズーム情報、被写界震度、フォーカス情報等をレンズ制御部１５から取得し（Ｓ１０２）取得した情報を基に、ＣＰＵ１２が、被写体の寸法を演算する（Ｓ１０３）。Ｓ１０２では、合焦情報やズーム情報だけでなく被写体距離情報等の、実寸法を算出するのに必要な他の情報も取得するようにしても良い。
【００１６】
次に、ステップＳ１０４で、液晶表示パネル６に、寸法情報を記録するか否かをユーザに設定させるための選択画面を表示する。Ｓ１０４でユーザが「寸法情報を記録する」を選択した場合は、ステップＳ１０５において、Ｓ１０１で一時記憶していた画像データに寸法情報を付加させて、記憶部１７に画像ファイルとして記録する。Ｓ１０４でユーザが「寸法情報を記録しない」が選択した場合、または、所定時間たって「寸法情報を記録する」が選択されなかった場合は、寸法情報は付加させずに、一時記憶された画像データから画像ファイルを生成して記憶部１７に記録する。
【００１７】
本実施例では、画像撮影のたびにユーザに、寸法情報を記録するか否かを選択させたが、画像撮影のたびに選択させずに、寸法情報記録モードが設定されている場合だけ寸法情報を演算し、記録するようにしてもよい。
【００１８】
次に、画像データと共に記録された寸法情報を用いて、被写体の寸法を表示させるときのデジタルカメラ１の処理について図４に示すフローチャートを参照して説明する。
【００１９】
ステップＳ２０１では、寸法表示モードが選択されているかを確認する。ここで、寸法表示モードは、メニュー画面から、メニューＫＥＹ７、十字操作ＫＥＹ８を操作して設定可能である。寸法表示モードが設定されていない場合は、Ｓ２０２で寸法情報を表示させずに画像だけを液晶表示パネルに表示する。寸法表示モードが設定されている場合は、Ｓ２０３で表示する画像に寸法情報が付加されているかを解析する。表示する画像の画像ファイルに寸法情報が含まれている場合は、Ｓ２０４に遷移し、寸法情報が含まれていない場合には、Ｓ２０２へ遷移して画像のみを表示させる。
【００２０】
Ｓ２０４では、主被写体が含まれる領域をユーザに指示させるかをユーザに選択させる。主被写体の領域を指示するが選択されたら、Ｓ２０５で液晶表示パネル６に図６のような被写体領域指定画面を表示させる。ユーザは液晶表示パネル６表示されている画像から十字操作ＫＥＹ８にて、縦・横の始点・終点を選び、寸法表示を行なう主被写体をと特定する。本実施例では、縦・横の始点・終点を指示して、主被写体の範囲を決定しているが、片方のみの添付であれば、片方だけで良い。また、始点終点を選んで、選択しているが、枠で囲むように選択をしても構わない。次に、Ｓ２０６では、画像と共に記録されている寸法情報と、Ｓ２０５で指定した主被写体の領域の情報から、被写体の寸法を演算する。Ｓ２０７ではＳ２０６で算出した主被写体の実寸法を、表示されている画像データに重畳させて図８のように表示する。
【００２１】
Ｓ２０４で、主被写体が含まれる領域を指示しないと選択された場合は、Ｓ２０８で画像ファイルから寸法情報を読み出し、図７のように画像の被写体に対するスケールを画像と共に表示させる。
【００２２】
本実施例では、主被写体範囲の指定はユーザが行ったが、デジタルカメラ１が自動的に決定しても良い。例えば、画像ファイルの付加情報として、被写体範囲を特定できるだけの情報がある場合は、デジタルカメラで自動的に主被写体範囲を特定するようにしても良い。
【００２３】
また、本実施例では、撮影時に寸法情報を画像と共に記録したが、、記録時にはズーム情報ヤ豪商情報のみを記録しておき、表示時にこれらの情報を読み出して寸法情報を算出しても良い。
【００２４】
本実施例では、このような構成により、撮影時に寸法を算出するために必要な情報を取得しておき、画像表示時に、主被写体を特定し、主被写体の寸法を分かりやすくユーザに提示することができる。
【００２５】
次に、前記構成を有するデジタルカメラにおける出力時の寸法単位表示について図５に示すフローチャートを参考に説明する。
【００２６】
ステップＳ３０１において、メニュー設定内の言語設定が記録時より変更されているかの確認を行なう。変更されていれば、ステップＳ３０２に進み、記録時の寸法情報を基に、ＣＰＵ１２にて、寸法単位変換演算をこない、ステップＳ３０３にて、ステップＳ３０２で行なった演算結果より、寸法単位の変更を行なう。たとえば、記録時の言語設定が、日本語に設定されていて、出力時に言語設定がＥｎｇｌｉｓｈの場合、ｃｍ（センチメートル）やｍ（メートル）表記からインチ（ｉｎ）やｆｔ（フィート）のように寸法単位の変換し変更を行なう。そして、ステップＳ３０４にて、ディスプレイ表示や印刷等の出力を行い終了する。ステップＳ３０１で、言語設定が変更されていない場合、言語設定通りの寸法単位にて、ステップＳ３０４で、ディスプレイ表示や印刷等の出力を行い終了する。
【図面の簡単な説明】
【００２７】
【図１】本発明の実施形態に係るデジタルカメラの構成概要図である。
【図２】本発明の実施形態に係るデジタルカメラのブロック図である。
【図３】本発明の実施形態に係るデジタルカメラの画像撮影時のフローチャートである。
【図４】本発明の実施形態に係るデジタルカメラの寸法表示時のフローチャートである。
【図５】本発明の実施形態に係るデジタルカメラの寸法表示に関するフローチャートである。
【図６】主被写体指定画面の一例である。
【図７】寸法表示方法の一例である。
【図８】寸法表示方法の一例である。
【符号の説明】
【００２８】
１  デジタルカメラ本体
２  電源ＳＷ
３  モードＳＷ
４  ズームレバー
５  レリーズスイッチ
６  折畳み／展開式バリアングル機構を有する液晶表示パネル
７  メニューＫＥＹ
８  十字操作ＫＥＹ
１  電源供給部
１２  ＣＰＵ
１３  レンズを含む鏡筒
１４  撮像部
１５  レンズ制御部
１６  画像処理部
１７  記憶部
１８  液晶パネル表示部
１９  操作部
２０  外部Ｉ／Ｆ部
【図１】
2009027402.tif 000003
【図２】
2009027402.tif 000004
【図３】
2009027402.tif 000005
【図４】
2009027402.tif 000006
【図５】
2009027402.tif 000007
【図６】
2009027402.tif 000008
【図７】
2009027402.tif 000009
【図８】
2009027402.tif 000010